(57)【要約】【課題】優れたクッション性を保持するとともに、表面に汚れが付着した際でも、容易に自宅で水洗いすることができるフロアマットを提供する。【解決手段】薄状の第一ウレタン層１０と、肉厚状の第二ウレタン層２０とが分割可能に積層されてなる。第一ウレタン層１０の第一ウレタンフォームおよび／または第二ウレタン層２０の第二ウレタンフォームを低反発弾性ウレタンフォームにて形成することができる。【選択図】図１
0003174220.tif 000002
【実用新案登録請求の範囲】
【請求項１】
薄状の第一ウレタン層と、肉厚状の第二ウレタン層とが分割可能に積層されてなることを特徴とするフロアマット。
【請求項２】
前記第一ウレタン層が、中材としての第一ウレタンフォームと、該第一ウレタンフォームを被覆する上面カバー材と下面カバー材とからなるカバー材と、該カバー材の周縁に設けられた、前記第二ウレタン層に着脱自在に連結する第一連結具と、を備えている請求項１記載のフロアマット。
【請求項３】
前記第二ウレタン層が、中材としての第二ウレタンフォームと、第二ウレタンフォームを被覆する上面カバー材と下面カバー材とからなるカバー材と、該カバー材の周縁に設けられた、前記第一ウレタン層に着脱自在に連結する第二連結具と、を備えている請求項１または２記載のフロアマット。
【請求項４】
前記第一ウレタン層の第一ウレタンフォームの厚みが３〜１０ｍｍである請求項１〜３にうちいずれか一項記載のフロアマット。
【請求項５】
前記第二ウレタン層の第二ウレタンフォームの厚みが１５〜５０ｍｍである請求項１〜４のうちいずれか一項記載のフロアマット。
【請求項６】
前記第一ウレタン層の第一ウレタンフォームが低反発弾性ウレタンフォームである請求項１〜５のうちいずれか一項記載のフロアマット。
【請求項７】
前記第二ウレタン層の第二ウレタンフォーが低反発弾性ウレタンフォームである請求項１〜６のうちいずれか一項記載のフロアマット。
【考案の詳細な説明】
【技術分野】
【０００１】
本考案は、優れたクッション性を有するとともに、容易に洗濯することができるフロアマットに関する。
【背景技術】
【０００２】
屋内の床上には、座ったり横臥したりするためのフロアマットが敷設される場合がある。一般的なフロアマットとしては、装飾性や防滑性を施したカーペットや絨毯等がある。また、ウレタン等の緩衝材をカバーで被覆したクッション性の高いフロアマットもある。
【０００３】
また、これらのフロアマットにおける先行技術として、連結具等がなくても位置ズレが生じることがなく、また遮音性に優れているとともに、歩き易く、また薄くて強度もあり、しかも資源の有効利用が図れるようにしたフロアマットが提案されている（例えば特許文献１参照）。
【０００４】
特許文献１には、表皮材と、密度１０〜２５ｋｇ／ｍ３のウレタンフォーム層と、平均密度３０〜１２０ｋｇ／ｍ３のチップウレタンフォーム層と、密度７０〜１５０ｋｇ／ｍ３の圧縮ウレタンフォーム層が順次上から積層され、ＪＩＳＫ  ６４００に基づく反発弾性率が３０〜４５であるフロアマットが開示されている。
【先行技術文献】
【特許文献】
【０００５】
【特許文献１】特開２００２−２７６１３５公報（特許請求の範囲等）
【考案の概要】
【考案が解決しようとする課題】
【０００６】
上掲特許文献１に記載されたフロアマットにおいては、連結具等がなくても位置ズレが生じることがなく、また遮音性に優れている等の長所を有する。しかし、かかるフロアマットは、中材に複数のウレタンフォーム層が積層されているため、マット上に飲み物をこぼしたり、長期使用において表面に汚れが付着したりしても簡単に水洗いすることができず、専門の業者に洗濯の依頼をしなければならないという問題があった。
【０００７】
そこで本考案の目的は、上記問題点を解消して、優れたクッション性を保持するとともに、表面に汚れが付着した際でも、容易に自宅で水洗いすることができるフロアマットを提供することにある。
【課題を解決するための手段】
【０００８】
上記課題を解決するために、本考案のフロアマットは、薄状の第一ウレタン層と、肉厚状の第二ウレタン層とが分割可能に積層されてなることを特徴とする。
【０００９】
本考案のフロアマットにおいては、前記第一ウレタン層は、中材としての第一ウレタンフォームと、該第一ウレタンフォームを被覆する上面カバー材と下面カバー材とからなるカバー材と、該カバー材の周縁に設けられた、第二ウレタン層に着脱自在に連結する第一連結具と、を備えていることが好ましい。
【００１０】
また、第二ウレタン層は、中材としての第二ウレタンフォームと、該第二ウレタンフォームを被覆する上面カバー材と下面カバー材とからなるカバー材と、該カバー材の周縁に設けられた、前記第一ウレタン層に着脱自在に連結する第二連結具と、を備えていることが好ましい。
【００１１】
さらに、前記第一ウレタン層の第一ウレタンフォームの厚みを３〜１０ｍｍとすることが好ましい。
【００１２】
さらにまた、前記第二ウレタン層の第二ウレタンフォームの厚みを１５〜５０ｍｍとすることが好ましい。
【００１３】
さらにまた、第一ウレタン層の第一ウレタンフォームを低反発弾性ウレタンフォームとすることもできる。
【００１４】
さらにまた、第二ウレタン層の第二ウレタンフォームを低反発弾性ウレタンフォームとすることもできる。
【考案の効果】
【００１５】
本考案によれば、優れたクッション性を保持することができるとともに、表面に汚れが付着した際、フロアマットから第一ウレタン層を取り外すことで、第一ウレタン層を容易に自宅で水洗いすることができる。
【００１６】
また、第一ウレタン層の第一ウレタンフォームまたは／および第二ウレタン層の第二ウレタンフォームを低反発弾性ウレタンフォームにて形成することで、クッション性や触感を一層高めることができる。
【図面の簡単な説明】
【００１７】
【図１】本考案のフロアマットの全体斜視図である。
【図２】図１に示すフロアマットの分割状態の斜視図である。
【図３】本考案のフロアマットの側面図である。
【図４】図３に示すフロアマットの分割状態の側面図である。
【図５】本考案のフロアマットの拡大断面図である。
【図６】図５に示すフロアマットの分割状態の拡大断面図である。
【図７】本考案におけるフロアマットの周縁部分を示す拡大断面図である。
【考案を実施するための形態】
【００１８】
以下、本考案におけるフロアマットの実施の形態を、図面に基づいて説明する。
本考案のフロアマットは、室内、特に板床上に敷設されるもので、優れたクッション性を保持するとともに、表面に汚れが付着した際でも、容易に自宅で水洗いすることができるものであり、そのサイズは特に限定されるものではないが、２００ｃｍ×１００ｃｍ程度の大きさがフロアマットとしては好適である。また、本考案のフロアマットは、板床上に敷設することに限定されず、ベッドマットや敷布団等に幅広く使用することもできる。
【００１９】
図示するフロアマット１は、薄状の第一ウレタン層１０と、肉厚状の第二ウレタン層２０とが積層されてなる。
【００２０】
第一ウレタン層１０は、中材としての第一ウレタンフォーム１１と、第一ウレタンフォーム１１を被覆する上面カバー材１２と下面カバー材１３とからなるカバー材１４とで構成されている。第一ウレタン層１０の第一ウレタンフォーム１１は、好適には３〜１０ｍｍ程度の薄板状に形成する。なお、上面カバー材１２と下面カバー材１３との周縁は、例えば、ヘム加工を施すことにより布材１５で一体的に保持することができる。
【００２１】
上面カバー材１２と下面カバー材１３とからなるカバー材１４は、化学繊、天然繊維、化学繊と天然繊維との混紡等、様々な素材で織布または不織布として形成することができる。また、第一ウレタン層１０の上面カバー材１２は直接に身体に触れるため、冬季においては保温性の有し、また、夏季においては冷感を得ることができる既存の素材で形成ことが好ましい。さらに、上面カバー材１２は、天然素材であるい草を用いることもできる。
【００２２】
第二ウレタン層２０は、中材としての第二ウレタンフォーム２１と、第二ウレタンフォーム２１を被覆する上面カバー材２２と下面カバー材２３とからなるカバー材２４とで構成されている。第二ウレタン層２０の第二ウレタンフォーム２１は、第一ウレタン層１０の第一ウレタンフォーム１１よりも肉厚の１５〜５０ｍｍ程度の厚さに形成することが好ましい。
【００２３】
上面カバー材２２と下面カバー材２３とからなるカバー材２４は、化学繊、天然繊維、化学繊と天然繊維との混紡等、様々な素材で織布または不織布として形成することができる。また、第二ウレタン層２０の下面カバー材２３は、直接に床面上に配置されるため、滑り止め機能を有する、例えば、ポリ塩化ビニルクロロ繊維（ＰＶＣ）等の材質で形成することが好ましい。なお、第二ウレタン層２０においては、コスト面等を考慮して、前記第二ウレタン２１の上面に上面カバー材２２を被覆させないこともできる。
【００２４】
上述の如く、本考案のフロアマット１は、薄状の第一ウレタン層１０と肉厚状の第二ウレタン層２０とが積層されていることで、板床上に敷設した状態でも高いクッション性を得ることができる。
【００２５】
本考案のフロアマットにおいては、第一ウレタン層１０と第二ウレタン層２０とが分割可能に積層されている。図示例においては、第一ウレタン層１０のカバー材１４の周縁には、第二ウレタン層に着脱自在に連結する第一連結具２が装着されている。また、第二ウレタン層２０のカバー材１４の周縁には、第一ウレタン層１０の第一連結具２に係合される第二連結具３が装着されている。
【００２６】
第一連結具２と第二連結具３は、第一ウレタン層１０と第二ウレタン層２０とを分割、着脱可能とするものであれば、特に限定されるものではないが、汎用のファスナーを使用することが好ましい。また、面ファスナー、ホック、ボタン等を連結具として好適に使用することもできる。
【００２７】
第一ウレタン層１０と第二ウレタン層２０とを分割可能に積層することで、例えば、
フロアマット１上に飲み物をこぼしたり、長期使用において表面に汚れが付着したりしても、フロアマット１から第一ウレタン層１０を取り外し、第一ウレタン層１０のみを容易に水洗いすることができる。特に、第一ウレタン層１０の第一ウレタンフォーム１１は、３〜１０ｍｍ程度の薄板状に形成することで、上面カバー材１２と下面カバー材１３とからなるカバー材１４にて被覆されているため、家庭の洗濯機で水洗いしても第一ウレタンフォーム１１が引裂かれたり表面が変形したりする心配がない。さらに、第一ウレタンフォーム１１の厚みを３〜１０ｍｍ程度とすることで、洗濯機での脱水も可能となり、乾燥時間も大幅に短縮することができる。
【００２８】
本考案のフロアマットにおいては、第一ウレタン層１０の第一ウレタンフォーム１１および第二ウレタン層２０の第二ウレタンフォーム２１はいずれも従来のフロアマットに使用されている既知のウレタンフォームを好適に用いることができるが、両ウレタンフォームの一方または双方を低反発弾性ウレタンフォームにて形成してもよい。低反発弾性ウレタンフォームは、反発弾性が低く、密度や硬さ、伸びや圧縮残留歪が高いという特性を有する。また、低反発弾性ウレタンフォームは、みかけ密度０．１ｇ／ｃｍ３（気体・固体比９）以下のフォームをいう。
【００２９】
特に、第一ウレタン層１０の第一ウレタンフォーム１１を低反発弾性ウレタンフォームにて形成することにより圧縮残留歪が高くなり、フロアマット１に着座、または横臥した状態で心地よいフィット感を得ることができる。
【００３０】
また、第二ウレタン層２０の第二ウレタンフォーム２１を低反発弾性ウレタンフォームにて形成しても、硬い床板上にフロアマット１を敷設した際、より優れたクッション性とフィット感を得ることができる。
【００３１】
さらに、本考案のフロアマット１は、コストやクッション性を考慮した場合には、第一ウレタンフォーム１１を低反発弾性ウレタンフォームにて形成し、第二ウレタンフォーム２１を通常のウレタンフォームとすることが好ましい。さらにまた、目的に応じ、第一ウレタンフォーム１１を通常のウレタンフォームとし、第二ウレタンフォーム２１を低反発弾性ウレタンフォームにて形成してもよい。
【符号の説明】
【００３２】
１  フロアマット
２  第一連結具
３  第二連結具
１０  第一ウレタン層
１１  第一ウレタン
１２  上面カバー材
１３  下面カバー材
１４  カバー材
１５  布材
２０  第二ウレタン層
２１  第二ウレタン
２２  上面カバー材
２３  下面カバー材
２４  カバー材
【図１】
0003174220.tif 000003
【図２】
0003174220.tif 000004
【図３】
0003174220.tif 000005
【図４】
0003174220.tif 000006
【図５】
0003174220.tif 000007
【図６】
0003174220.tif 000008
【図７】
0003174220.tif 000009